(57)【要約】【課題】  ＷｅｂサーバからＷｅｂクライアントに提供されるＷｅｂページの表示形式につき、Ｗｅｂページの表示形式を各ユーザの負担を抑えつつも各ユーザの希望に沿うように規定する方法を新たに提案すること。【解決手段】  Ｗｅｂサーバとして機能する情報処理装置であって、Ｗｅｂページを生成する生成手段と、Ｗｅｂクライアントとして機能する情報処理装置に前記Ｗｅｂページを提供する提供手段とを備え、前記生成手段は、Ｗｅｂページの表示形式を規定するためのユーザ毎のユーザプロファイルとグループ毎のグループプロファイルとに基づいて、前記Ｗｅｂページの表示形式を規定することを特徴とする情報処理装置。【選択図】  図１
2006011824.tif 000002
【特許請求の範囲】
【請求項１】
Ｗｅｂサーバとして機能する情報処理装置であって、
Ｗｅｂページを生成する生成手段と、Ｗｅｂクライアントとして機能する情報処理装置に前記Ｗｅｂページを提供する提供手段とを備え、
前記生成手段は、Ｗｅｂページの表示形式を規定するためのユーザ毎のユーザプロファイルとグループ毎のグループプロファイルとに基づいて、前記Ｗｅｂページの表示形式を規定することを特徴とする情報処理装置。
【請求項２】
前記生成手段は、Ｗｅｂページの表示形式を規定するためのユーザ毎のユーザプロファイルとグループ毎のグループプロファイルとに基づいて、Ｗｅｂページの表示形式を規定するためのプロファイルを生成して、前記プロファイルに基づいて、前記Ｗｅｂページの表示形式を規定することを特徴とする請求項１に記載の情報処理装置。
【請求項３】
前記生成手段は、前記ユーザプロファイルにて規定されているＷｅｂページの表示項目と前記グループプロファイルにて規定されているＷｅｂページの表示項目とに基づいて、前記Ｗｅｂページの表示項目を規定することを特徴とする請求項１または２に記載の情報処理装置。
【請求項４】
前記生成手段は、前記グループプロファイルにて規定されているＷｅｂページの各表示項目の表示優先度に基づいて、前記Ｗｅｂページの各表示項目の表示順を規定することを特徴とする請求項３に記載の情報処理装置。
【請求項５】
前記生成手段は、前記グループプロファイルにて規定されているＷｅｂページの各表示項目の表示形式に基づいて、前記Ｗｅｂページの各表示項目の表示形式を規定することを特徴とする請求項３に記載の情報処理装置。
【請求項６】
前記生成手段は、前記グループプロファイルにて規定されているＷｅｂページの各表示項目の項目値の表示条件に基づいて、前記Ｗｅｂページの各表示項目の項目値の表示条件を規定することを特徴とする請求項３に記載の情報処理装置。
【請求項７】
前記生成手段は、前記グループプロファイルにて規定されているＷｅｂページの各表示項目の項目値の表示条件を前記ユーザプロファイルにて規定されているＷｅｂページの各表示項目の項目値の表示条件よりも優先させて、前記Ｗｅｂページの各表示項目の項目値の表示条件を規定することを特徴とする請求項６に記載の情報処理装置。
【請求項８】
前記生成手段は、前記グループプロファイルにて規定されているＷｅｂページの各表示項目の項目値の表示条件に前記ユーザプロファイルにて規定されているＷｅｂページの各表示項目の項目値の表示条件を付加して、前記Ｗｅｂページの各表示項目の項目値の表示条件を規定することを特徴とする請求項６に記載の情報処理装置。
【請求項９】
前記Ｗｅｂページは、１台以上の装置に関する１項目以上の情報を表示内容とすることを特徴とする請求項１乃至８のいずれか１項に記載の情報処理装置。
【請求項１０】
前記Ｗｅｂページは、１台以上の画像形成装置に関する１項目以上の情報を表示内容とすることを特徴とする請求項９に記載の情報処理装置。
【請求項１１】
Ｗｅｂサーバとして機能する情報処理装置、により実行される情報処理方法であって、
Ｗｅｂページを生成する生成段階と、Ｗｅｂクライアントとして機能する情報処理装置に前記Ｗｅｂページを提供する提供段階とを備え、
前記生成段階で、Ｗｅｂページの表示形式を規定するためのユーザ毎のユーザプロファイルとグループ毎のグループプロファイルとに基づいて、前記Ｗｅｂページの表示形式を規定することを特徴とする情報処理方法。
【請求項１２】
前記生成段階で、Ｗｅｂページの表示形式を規定するためのユーザ毎のユーザプロファイルとグループ毎のグループプロファイルとに基づいて、Ｗｅｂページの表示形式を規定するためのプロファイルを生成して、前記プロファイルに基づいて、前記Ｗｅｂページの表示形式を規定することを特徴とする請求項１１に記載の情報処理方法。
【請求項１３】
前記生成段階で、前記ユーザプロファイルにて規定されているＷｅｂページの表示項目と前記グループプロファイルにて規定されているＷｅｂページの表示項目とに基づいて、前記Ｗｅｂページの表示項目を規定することを特徴とする請求項１１または１２に記載の情報処理方法。
【請求項１４】
請求項１１乃至１３のいずれか１項に記載の情報処理方法をコンピュータに実行させる情報処理プログラム。
【請求項１５】
請求項１１乃至１３のいずれか１項に記載の情報処理方法をコンピュータに実行させる情報処理プログラムが記録されたコンピュータ読取可能な記録媒体。
【請求項１６】
Ｗｅｂサーバとして機能する情報処理装置と、Ｗｅｂクライアントとして機能する情報処理装置と、により実行される情報処理方法であって、
Ｗｅｂサーバとして機能する情報処理装置がＷｅｂページを生成する生成段階、Ｗｅｂサーバとして機能する情報処理装置がＷｅｂクライアントとして機能する情報処理装置に前記Ｗｅｂページを提供する提供段階、Ｗｅｂクライアントとして機能する情報処理装置が前記Ｗｅｂページを表示する表示段階を備え、
Ｗｅｂサーバとして機能する情報処理装置が前記生成段階で、Ｗｅｂページの表示形式を規定するためのユーザ毎のユーザプロファイルとグループ毎のグループプロファイルとに基づき、前記Ｗｅｂページの表示形式を規定することを特徴とする情報処理方法。
【請求項１７】
Ｗｅｂサーバとして機能する情報処理装置が前記生成段階で、Ｗｅｂページの表示形式を規定するためのユーザ毎のユーザプロファイルとグループ毎のグループプロファイルとに基づき、Ｗｅｂページの表示形式を規定するためのプロファイルを生成して、前記プロファイルに基づき、前記Ｗｅｂページの表示形式を規定することを特徴とする請求項１６に記載の情報処理方法。
【請求項１８】
Ｗｅｂサーバとして機能する情報処理装置が前記生成段階で、前記ユーザプロファイルにて規定されているＷｅｂページの表示項目と前記グループプロファイルにて規定されているＷｅｂページの表示項目とに基づき、前記Ｗｅｂページの表示項目を規定することを特徴とする請求項１６または１７に記載の情報処理方法。
【発明の詳細な説明】
【技術分野】
【０００１】
本発明は、パーソナルコンピュータ／サーバコンピュータ／画像形成装置等の情報処理装置、情報処理方法、情報処理プログラム、ＣＤ−ＲＯＭ等の記録媒体に関する。
【背景技術】
【０００２】
近年、Ｗｅｂ技術は極めて日常化している。インターネットやイントラネットを通じてＷｅｂページを配信したり閲覧したりすることは日常茶飯事である。Ｗｅｂページの配信にはＷｅｂサーバソフトが、Ｗｅｂページの閲覧にはＷｅｂブラウザが利用される。
【特許文献１】特開平１０−２６０９５５号公報
【発明の開示】
【発明が解決しようとする課題】
【０００３】
様々な機器に関する様々な項目の情報を「Ｗｅｂ技術」を利用して集中管理することが考えられる。様々な機器に関する様々な項目の情報をＷｅｂサーバで集中管理してＷｅｂクライアントで利用するのである。例えば、コピー／プリンタ／スキャナ／ファックス／複合機／融合機と言った機器（画像形成機器）に関するＩＰアドレス／ＭＡＣアドレス／ロケーション情報／ステータス情報／印刷量情報と言った項目の情報を「Ｗｅｂ技術」を利用して集中管理する。
【０００４】
各ユーザが利用したい情報は各ユーザ毎に異なるだろう。例えば、ネットワーク管理者は機器のＩＰアドレスやＭＡＣアドレスを利用したいだろう。例えば、レイアウト管理者は機器のロケーション情報を利用したいだろう。例えば、機器管理者や機器利用者は機器のステータス情報を利用したいだろう。例えば、備品管理者や経費管理者は機器の印刷量情報を利用したいだろう。したがって、様々な機器に関する様々な項目の情報を表示内容とするＷｅｂページをＷｅｂサーバからＷｅｂクライアントに提供する場合、どんな表示項目をどんな表示形式で提供するかと言ったＷｅｂページの表示形式が問題となる。
【０００５】
よって、ＷｅｂサーバからＷｅｂクライアントに提供されるＷｅｂページの表示形式をカスタマイズできるようにしておくことが考えられる。しかし、Ｗｅｂページの表示形式をシステム毎にカスタマイズすることにすると各ユーザの希望に反し兼ねないし、Ｗｅｂページの表示形式をユーザ毎にカスタマイズすることにするとカスタマイズ部分の増加に伴い各ユーザの負担に成り兼ねない。Ｗｅｂページの表示形式をカスタマイズするためのテンプレートを用意しておくことも考えられるが、システム毎にテンプレートを指定することにすると各ユーザの希望に反し兼ねないし、ユーザ毎にテンプレートを指定することにするとテンプレートの増加に伴い各ユーザの負担に成り兼ねない。
【０００６】
本発明は、ＷｅｂサーバからＷｅｂクライアントに提供されるＷｅｂページの表示形式について、Ｗｅｂページの表示形式を各ユーザの負担を抑えつつも各ユーザの希望に沿うように規定する方法を新たに提案することを課題とする。
【課題を解決するための手段】
【０００７】
請求項１に記載の発明（情報処理装置）は、Ｗｅｂサーバとして機能する情報処理装置であって、Ｗｅｂページを生成する生成手段と、Ｗｅｂクライアントとして機能する情報処理装置に前記Ｗｅｂページを提供する提供手段とを備え、前記生成手段は、Ｗｅｂページの表示形式を規定するためのユーザ毎のユーザプロファイルとグループ毎のグループプロファイルとに基づいて、前記Ｗｅｂページの表示形式を規定することを特徴とする情報処理装置である。
【０００８】
請求項２に記載の発明（情報処理装置）は、前記生成手段は、Ｗｅｂページの表示形式を規定するためのユーザ毎のユーザプロファイルとグループ毎のグループプロファイルとに基づいて、Ｗｅｂページの表示形式を規定するためのプロファイルを生成して、前記プロファイルに基づいて、前記Ｗｅｂページの表示形式を規定することを特徴とする請求項１に記載の情報処理装置である。
【０００９】
請求項３に記載の発明（情報処理装置）は、前記生成手段は、前記ユーザプロファイルにて規定されているＷｅｂページの表示項目と前記グループプロファイルにて規定されているＷｅｂページの表示項目とに基づいて、前記Ｗｅｂページの表示項目を規定することを特徴とする請求項１または２に記載の情報処理装置である。
【００１０】
請求項４に記載の発明（情報処理装置）は、前記生成手段は、前記グループプロファイルにて規定されているＷｅｂページの各表示項目の表示優先度に基づいて、前記Ｗｅｂページの各表示項目の表示順を規定することを特徴とする請求項３に記載の情報処理装置である。
【００１１】
請求項５に記載の発明（情報処理装置）は、前記生成手段は、前記グループプロファイルにて規定されているＷｅｂページの各表示項目の表示形式に基づいて、前記Ｗｅｂページの各表示項目の表示形式を規定することを特徴とする請求項３に記載の情報処理装置である。
【００１２】
請求項６に記載の発明（情報処理装置）は、前記生成手段は、前記グループプロファイルにて規定されているＷｅｂページの各表示項目の項目値の表示条件に基づいて、前記Ｗｅｂページの各表示項目の項目値の表示条件を規定することを特徴とする請求項３に記載の情報処理装置である。
【００１３】
請求項７に記載の発明（情報処理装置）は、前記生成手段は、前記グループプロファイルにて規定されているＷｅｂページの各表示項目の項目値の表示条件を前記ユーザプロファイルにて規定されているＷｅｂページの各表示項目の項目値の表示条件よりも優先させて、前記Ｗｅｂページの各表示項目の項目値の表示条件を規定することを特徴とする請求項６に記載の情報処理装置である。
【００１４】
請求項８に記載の発明（情報処理装置）は、前記生成手段は、前記グループプロファイルにて規定されているＷｅｂページの各表示項目の項目値の表示条件に前記ユーザプロファイルにて規定されているＷｅｂページの各表示項目の項目値の表示条件を付加して、前記Ｗｅｂページの各表示項目の項目値の表示条件を規定することを特徴とする請求項６に記載の情報処理装置である。
【００１５】
請求項９に記載の発明（情報処理装置）は、前記Ｗｅｂページは、１台以上の装置に関する１項目以上の情報を表示内容とすることを特徴とする請求項１乃至８のいずれか１項に記載の情報処理装置である。
【００１６】
請求項１０に記載の発明（情報処理装置）は、前記Ｗｅｂページは、１台以上の画像形成装置に関する１項目以上の情報を表示内容とすることを特徴とする請求項９に記載の情報処理装置である。
【００１７】
請求項１１に記載の発明（情報処理方法）は、Ｗｅｂサーバとして機能する情報処理装置、により実行される情報処理方法であって、Ｗｅｂページを生成する生成段階と、Ｗｅｂクライアントとして機能する情報処理装置に前記Ｗｅｂページを提供する提供段階とを備え、前記生成段階で、Ｗｅｂページの表示形式を規定するためのユーザ毎のユーザプロファイルとグループ毎のグループプロファイルとに基づいて、前記Ｗｅｂページの表示形式を規定することを特徴とする情報処理方法である。
【００１８】
請求項１２に記載の発明（情報処理方法）は、前記生成段階で、Ｗｅｂページの表示形式を規定するためのユーザ毎のユーザプロファイルとグループ毎のグループプロファイルとに基づいて、Ｗｅｂページの表示形式を規定するためのプロファイルを生成して、前記プロファイルに基づいて、前記Ｗｅｂページの表示形式を規定することを特徴とする請求項１１に記載の情報処理方法である。
【００１９】
請求項１３に記載の発明（情報処理方法）は、前記生成段階で、前記ユーザプロファイルにて規定されているＷｅｂページの表示項目と前記グループプロファイルにて規定されているＷｅｂページの表示項目とに基づいて、前記Ｗｅｂページの表示項目を規定することを特徴とする請求項１１または１２に記載の情報処理方法である。
【００２０】
請求項１４に記載の発明（情報処理プログラム）は、請求項１１乃至１３のいずれか１項に記載の情報処理方法をコンピュータに実行させる情報処理プログラムである。
【００２１】
請求項１５に記載の発明（記録媒体）は、請求項１１乃至１３のいずれか１項に記載の情報処理方法をコンピュータに実行させる情報処理プログラムが記録されたコンピュータ読取可能な記録媒体である。
【００２２】
請求項１６に記載の発明（情報処理方法）は、Ｗｅｂサーバとして機能する情報処理装置と、Ｗｅｂクライアントとして機能する情報処理装置と、により実行される情報処理方法であって、Ｗｅｂサーバとして機能する情報処理装置がＷｅｂページを生成する生成段階、Ｗｅｂサーバとして機能する情報処理装置がＷｅｂクライアントとして機能する情報処理装置に前記Ｗｅｂページを提供する提供段階、Ｗｅｂクライアントとして機能する情報処理装置が前記Ｗｅｂページを表示する表示段階を備え、Ｗｅｂサーバとして機能する情報処理装置が前記生成段階で、Ｗｅｂページの表示形式を規定するためのユーザ毎のユーザプロファイルとグループ毎のグループプロファイルとに基づき、前記Ｗｅｂページの表示形式を規定することを特徴とする情報処理方法である。
【００２３】
請求項１７に記載の発明（情報処理方法）は、Ｗｅｂサーバとして機能する情報処理装置が前記生成段階で、Ｗｅｂページの表示形式を規定するためのユーザ毎のユーザプロファイルとグループ毎のグループプロファイルとに基づき、Ｗｅｂページの表示形式を規定するためのプロファイルを生成して、前記プロファイルに基づき、前記Ｗｅｂページの表示形式を規定することを特徴とする請求項１６に記載の情報処理方法である。
【００２４】
請求項１８に記載の発明（情報処理方法）は、Ｗｅｂサーバとして機能する情報処理装置が前記生成段階で、前記ユーザプロファイルにて規定されているＷｅｂページの表示項目と前記グループプロファイルにて規定されているＷｅｂページの表示項目とに基づき、前記Ｗｅｂページの表示項目を規定することを特徴とする請求項１６または１７に記載の情報処理方法である。
【発明の効果】
【００２５】
本発明は、ＷｅｂサーバからＷｅｂクライアントに提供されるＷｅｂページの表示形式について、Ｗｅｂページの表示形式を各ユーザの負担を抑えつつも各ユーザの希望に沿うように規定する方法を新たに提案するものである。
【発明を実施するための最良の形態】
【００２６】
図１は、Ｗｅｂシステム１０１のシステム構成図である。図１のＷｅｂシステム１０１では、Ｗｅｂサーバ１１１、Ｗｅｂクライアント１１２、種々の画像形成機器１１３等がＬＡＮやＷＡＮ等のネットワーク１２１によって相互接続されている。
【００２７】
図１のＷｅｂサーバ１１１は、Ｗｅｂサーバとして機能する情報処理機器によって実現されている。当該情報処理機器の具体例としては、Ｗｅｂページを配信するためのＷｅｂサーバソフトがインストールされているパーソナルコンピュータやサーバコンピュータが挙げられる。Ｗｅｂサーバ機能を備える複合機や融合機等の画像形成機器でもよい。
【００２８】
図１のＷｅｂクライアント１１２は、Ｗｅｂクライアントとして機能する情報処理機器によって実現されている。当該情報処理機器の具体例としては、Ｗｅｂページを閲覧するためのＷｅｂブラウザがインストールされているパーソナルコンピュータが挙げられる。Ｗｅｂクライアント機能を備える複合機や融合機等の画像形成機器でもよい。
【００２９】
図１の画像形成機器１１３の具体例としては、コピー／プリンタ／スキャナ／ＦＡＸ／複合機／融合機等が挙げられる。図１のＷｅｂシステム１０１では、コピー／プリンタ／スキャナ／ＦＡＸ／複合機／融合機と言った画像形成機器１１３に関するＩＰアドレス／ＭＡＣアドレス／ロケーション情報／ステータス情報／印刷量情報と言った項目の情報がＷｅｂサーバ１１１で管理されてＷｅｂクライアント１１２で利用される。図１のＷｅｂシステム１０１では、これらの機器に関するこれらの項目の情報を表示内容とするＷｅｂページがＷｅｂサーバ１１１からＷｅｂクライアント１１２に提供される。
【００３０】
図１のＷｅｂサーバ１１１には、Ｗｅｂアプリケーション２０１がインストールされている。種々の画像形成機器１１３に関する種々の項目の情報をこれらの機器等から自動的に取得して自動的に管理する機能、これらの機器に関するこれらの項目の情報を表示内容とするＷｅｂページをＷｅｂサーバ１１１からＷｅｂクライアント１１２に提供する機能は、Ｗｅｂアプリケーション２０１により実現される。Ｗｅｂサーバ１１１には、Ｗｅｂアプリケーション２０１により実現される機能ブロックとして、Ｗｅｂページを生成する生成部２１１、Ｗｅｂクライアント１１２にこのＷｅｂページを提供する提供部２１２等が存在する。
【００３１】
図２は、Ｗｅｂサーバ１１１により実行される情報処理に係るフローチャートである。
【００３２】
種々の機器に関する種々の項目の情報を表示内容とする上記のＷｅｂページについて、図１のＷｅｂクライアント１１２にてあるユーザがログイン操作を行うと、図１のＷｅｂサーバ１１１にてそのユーザのログイン処理が実行（Ｓ１）される。
【００３３】
次に、生成部２１１は、そのユーザ用のユーザプロファイルがＷｅｂサーバ１１１内に存在するか否かを確認（Ｓ２）する。ユーザプロファイルは、上記のＷｅｂページの表示形式を規定するためのユーザ毎のプロファイル（設定情報の集合）であり、Ｗｅｂサーバ１１１等に事前に設定しておくものとする。生成部２１１は、そのユーザ用のユーザプロファイルがＷｅｂサーバ１１１内に存在する場合（Ｓ２）は、そのユーザプロファイルの読込処理を実行（Ｓ３）する。
【００３４】
次に、生成部２１１は、そのユーザが属しているグループ用のグループプロファイルがＷｅｂサーバ１１１内に存在するか否かを確認（Ｓ４）する。グループプロファイルは、上記のＷｅｂページの表示形式を規定するためのグループ毎のプロファイル（設定情報の集合）であり、Ｗｅｂサーバ１１１などに事前に設定しておくものとする。生成部２１１は、そのユーザが属しているグループ用のグループプロファイルがＷｅｂサーバ１１１内に存在する場合（Ｓ４）は、そのグループプロファイルの読込処理を実行（Ｓ５）する。
【００３５】
次に、生成部２１１は、上記のユーザプロファイルと上記のグループプロファイルとに基づいて、上記のＷｅｂページの表示形式を規定するためのプロファイル（ディスプレイプロファイル）を生成（Ｓ６）して、そのプロファイル（ディスプレイプロファイル）に基づいて、上記のＷｅｂページを生成（Ｓ７）する。
【００３６】
次に、提供部２１２は、生成部２１１で生成されたＷｅｂページをＷｅｂクライアント１１２（Ｗｅｂブラウザ）に提供（Ｓ８）する。Ｗｅｂクライアント１１２（Ｗｅｂブラウザ）の表示画面には、提供部２１２により提供されたＷｅｂページが表示される。
【００３７】
なお、上記のグループプロファイルが存在しない場合（Ｓ４）には、上記のユーザプロファイルのみに基づいてディスプレイプロファイルが生成（Ｓ６ａ）されて、そのディスプレイプロファイルに基づいて上記のＷｅｂページが生成（Ｓ７）される。
【００３８】
また、上記のユーザプロファイルが存在しない場合（Ｓ２）には、デフォルトのディスプレイプロファイルの読込処理が実行（Ｓ６ｂ）されて、そのディスプレイプロファイルに基づいて上記のＷｅｂページが生成（Ｓ７）される。
【００３９】
図３は、Ｗｅｂページのページ画面図である。これが、種々の機器に関する種々の項目の情報を表示内容とする上記のＷｅｂページであり、Ｗｅｂクライアント１１２（Ｗｅｂブラウザ）の表示画面に表示される上記のＷｅｂページである。図３のＷｅｂページの表の横１列分の情報が機器１台分の情報に相当して、図３のＷｅｂページの表の縦１列分の情報が１項目分の情報に相当する。なお、図３のＷｅｂページは、画像形成機器に関する情報を表示内容とするだけではなく、画像形成機器以外の機器に関する情報を表示内容とするようにしてもよいだろう。
【００４０】
図１のＷｅｂシステム１０１では、Ｗｅｂページの表示形式を規定するためのユーザ毎のユーザプロファイルとグループ毎のグループプロファイルとに基づいて、Ｗｅｂページの表示形式が規定される。これにより、図１のＷｅｂシステム１０１では、Ｗｅｂページの表示形式を各ユーザの負担をなるべく抑えつつも各ユーザの希望になるべく沿うように規定することができるのである。なお、ユーザのグループは例えば、ネットワーク管理者グループ／レイアウト管理者グループ／備品管理者グループ／経費管理者グループ／機器管理者グループ／機器利用者グループというように、各ユーザが利用したい情報をうまく反映するように規定するとよいだろう。
【００４１】
以上の説明を踏まえて、図１のＷｅｂシステム１０１の種々の実施例について説明することにする。
【００４２】
（第１実施例）
図４と図５は、第１実施例に係るデータ構造図とページ画面図である。
【００４３】
第１実施例では、上記のユーザプロファイルと上記のグループプロファイルにて、上記のＷｅｂページの表示形式として上記のＷｅｂページの表示項目が規定されている。図４のユーザプロファイル（ユーザ１のユーザプロファイル）には、Ｗｅｂページの表示項目として「ホスト名」が規定されている。図４のグループプロファイル（ユーザ１が属するネットワーク管理者グループのグループプロファイル）には、Ｗｅｂページの表示項目として「ＩＰアドレス」と「ＭＡＣアドレス」が規定されている。
【００４４】
第１実施例では、上記のユーザプロファイルにて規定されている上記の表示項目と上記のグループプロファイルにて規定されている上記の表示項目とに基づいて、上記のＷｅｂページの表示項目が上記のディスプレイプロファイルに規定される。図４のディスプレイプロファイル（ユーザ１のディスプレイプロファイル）には、Ｗｅｂページの表示項目として「ホスト名」と「ＩＰアドレス」と「ＭＡＣアドレス」が規定されている。ホスト名はユーザプロファイルに由来するものであり、ＩＰアドレスとＭＡＣアドレスはグループプロファイルに由来するものである。当該処理は、図１の生成部２１１が実行する図２の生成処理（Ｓ６）に相当するものである。
【００４５】
第１実施例では、上記のディスプレイプロファイルにて規定されている上記の表示項目に基づいて、上記のＷｅｂページの表示項目が規定される。図５のＷｅｂページ（ユーザ１のＷｅｂページ）の表示項目は「ホスト名，ＩＰアドレス，ＭＡＣアドレス」である。ディスプレイプロファイルにて規定されている表示項目を反映したものである。当該処理は、図１の生成部２１１が実行する図２の生成処理（Ｓ７）に相当するものである。
【００４６】
図６は、第１実施例に係るフローチャートである。
【００４７】
生成部２１１では先ず、グループプロファイルをディスプレイプロファイルに変換（Ｓ１１）する。生成部２１１では次に、ユーザプロファイルにて規定されている表示項目の中でグループプロファイルにて規定されていない表示項目をディスプレイプロファイルに追加（Ｓ１２）する。このようにして生成部２１１では、ユーザプロファイルとグループプロファイルとに基づいてディスプレイプロファイルを生成するのである。
【００４８】
（第２実施例）
図７と図８は、第２実施例に係るデータ構造図とページ画面図である。
【００４９】
第２実施例では、上記のグループプロファイルにて、上記のＷｅｂページの表示形式としてさらに上記のＷｅｂページの各表示項目の表示優先度が規定されている。図７のグループプロファイルには、Ｗｅｂページの各表示項目の表示優先度として「ＩＰアドレス：低度」と「プリンタステータス：通常」と「スキャナステータス：通常」と「ファックスステータス：通常」と「コピーステータス：通常」と「システムエラー：高度」とが規定されている。
【００５０】
第２実施例では、上記のグループプロファイルにて規定されている上記の各表示項目の表示優先度に基づいて、上記のＷｅｂページの各表示項目の表示順が上記のディスプレイプロファイルに並び順により規定される。図７のディスプレイプロファイルには、Ｗｅｂページの各表示項目の表示順が「システムエラー，プリンタステータス，スキャナステータス，ファックスステータス，コピーステータス，ＩＰアドレス，ホスト名」と並び順により規定されている。これはグループプロファイルに由来するものである。当該処理は、図１の生成部２１１が実行する図２の生成処理（Ｓ６）に相当するものである。
【００５１】
第２実施例では、上記のディスプレイプロファイルにて並び順によって規定されている上記の各表示項目の表示順に基づいて、上記のＷｅｂページの各表示項目の表示順が規定される。図８のＷｅｂページの各表示項目の表示順は「システムエラー，プリンタステータス，スキャナステータス，ファックスステータス，コピーステータス，ＩＰアドレス，ホスト名」である。ディスプレイプロファイルにて並び順によって規定されている各表示項目の表示順を反映したものである。当該処理は、図１の生成部２１１が実行する図２の生成処理（Ｓ７）に相当するものである。
【００５２】
図９は、第２実施例に係るフローチャートである。
【００５３】
生成部２１１では先ず、グループプロファイルをディスプレイプロファイルに変換（Ｓ２１）する。生成部２１１では次に、ディスプレイプロファイルにて各表示項目の表示順の並べ替えを実行（Ｓ２２）する。生成部２１１では次に、ユーザプロファイルにて規定されている表示項目の中でグループプロファイルにて規定されていない表示項目をディスプレイプロファイルに追加（Ｓ２３）する。このようにして、生成部２１１では、ユーザプロファイルとグループプロファイルとに基づいてディスプレイプロファイルを生成するのである。
【００５４】
（第３実施例）
図１０と図１１は、第３実施例に係るデータ構造図とページ画面図である。
【００５５】
第３実施例では、上記のグループプロファイルにて、上記のＷｅｂページの表示形式としてさらに上記のＷｅｂページの各表示項目の表示形式（表示項目欄の色，表示項目名の文字の色／字体／太さ／大きさ，表示項目値の文字の色／字体／太さ／大きさ等）が規定されている。図１０のグループプロファイルには、Ｗｅｂページの各表示項目の表示形式として「システムエラー：緑色」が規定されている。
【００５６】
第３実施例では、上記のグループプロファイルにて規定されている上記の各表示項目の表示形式に基づいて、上記のＷｅｂページの各表示項目の表示形式が上記のディスプレイプロファイルに規定される。図１０のディスプレイプロファイルには、Ｗｅｂページの各表示項目の表示形式として「システムエラー：緑色」が規定されている。これはグループプロファイルに由来するものである。当該処理は、図１の生成部２１１が実行する図２の生成処理（Ｓ６）に相当するものである。
【００５７】
第３実施例では、上記ディスプレイプロファイルにて規定されている上記各表示項目の表示形式に基づいて、上記Ｗｅｂページの各表示項目の表示形式が規定される。図１１のＷｅｂページの各表示項目の表示形式は「システムエラー」の表示項目欄の色につき緑色である。ディスプレイプロファイルにて規定されている各表示項目の表示形式を反映したものである。当該処理は、図１の生成部２１１が実行する図２の生成処理（Ｓ７）に相当するものである。
【００５８】
図１２は、第３実施例に係るフローチャートである。
【００５９】
生成部２１１では先ず、グループプロファイルをディスプレイプロファイルに変換（Ｓ３１）する。生成部２１１では次に、ディスプレイプロファイルにて各表示項目の表示順の並べ替えを実行（Ｓ３２）して、ディスプレイプロファイルにて各表示項目の表示形式の設定変更を実行（Ｓ３３）する。生成部２１１では次に、ユーザプロファイルにて規定されている表示項目の中でグループプロファイルにて規定されていない表示項目をディスプレイプロファイルに追加（Ｓ３４）する。このようにして、生成部２１１では、ユーザプロファイルとグループプロファイルとに基づいてディスプレイプロファイルを生成するのである。
【００６０】
（第４実施例）
図１３と図１４は、第４実施例に係るデータ構造図とページ画面図である。
【００６１】
第４実施例では、上記のユーザプロファイルと上記のグループプロファイルにて、上記のＷｅｂページの表示形式としてさらに上記のＷｅｂページの各表示項目の項目値の表示条件が規定されている。図１３のユーザプロファイルには、Ｗｅｂページの各表示項目の項目値の表示条件として「印刷量：１００００枚以上」が規定されている。図１３のグループプロファイルには、Ｗｅｂページの各表示項目の項目値の表示条件として「印刷量：２００００枚以上」が規定されている。
【００６２】
第４実施例では、上記ユーザプロファイルにて規定されている上記各表示項目の項目値の表示条件と、上記グループプロファイルにて規定されている上記各表示項目の項目値の表示条件とに基づいて、上記Ｗｅｂページの各表示項目の項目値の表示条件が上記ディスプレイプロファイルに規定される。但し、上記グループプロファイルにて規定されている表示条件を上記ユーザプロファイルにて規定されている表示条件よりも優先させて、上記のＷｅｂページの各表示項目の項目値の表示条件を規定する。図１３のディスプレイプロファイルには、Ｗｅｂページの各表示項目の項目値の表示条件として「印刷量：２００００枚以上」などが規定されている。グループプロファイルに由来する「印刷量：２００００枚以上」につきユーザプロファイルに由来する「印刷量：１００００枚以上」より優先させたものである。当該処理は、図１の生成部２１１が実行する図２の生成処理（Ｓ６）に相当するものである。
【００６３】
第４実施例では、上記ディスプレイプロファイルにて規定されている上記各表示項目の項目値の表示条件に基づいて、上記Ｗｅｂページの各表示項目の項目値の表示条件が規定される。図１４のＷｅｂページの各表示項目の項目値の表示条件は「印刷量」が２００００枚以上の機器のみが表示される、と言ったものである。ディスプレイプロファイルにて規定されている各表示項目の項目値の表示条件を反映したものである。当該処理は、図１の生成部２１１が実行する図２の生成処理（Ｓ７）に相当するものである。
【００６４】
図１５は、第４実施例に係るフローチャートである。
【００６５】
生成部２１１では先ず、グループプロファイルをディスプレイプロファイルに変換（Ｓ４１）する。生成部２１１では次に、ディスプレイプロファイルにて各表示項目の表示順の並べ替えを実行（Ｓ４２）して、ディスプレイプロファイルにて各表示項目の表示形式の設定変更を実行（Ｓ４３）して、ディスプレイプロファイルにて各表示項目の項目値の各表示条件を適用（Ｓ４４）する。生成部２１１では次に、ユーザプロファイルにて規定されている表示項目の中でグループプロファイルにて規定されていない表示項目を各表示項目の項目値の表示条件とともにディスプレイプロファイルに追加（Ｓ４５）する。このようにして生成部２１１では、ユーザプロファイルとグループプロファイルとに基づいてディスプレイプロファイルを生成するのである。
【００６６】
（第５実施例）
図１６と図１７は、第５実施例に係るデータ構造図とページ画面図である。
【００６７】
第５実施例でも、上記のユーザプロファイルと上記のグループプロファイルにて、上記のＷｅｂページの表示形式としてさらに上記のＷｅｂページの各表示項目の項目値の表示条件が規定されている。図１６のユーザプロファイルには、Ｗｅｂページの各表示項目の項目値の表示条件として「ＩＰアドレス：１３３．１３９．１３１．ｘ／印刷量」が規定されている。図１６のグループプロファイルには、Ｗｅｂページの各表示項目の項目値の表示条件として「印刷量：８００００枚以上／赤色」が規定されている。
【００６８】
第５実施例でも、上記ユーザプロファイルにて規定されている上記各表示項目の項目値の表示条件と、上記グループプロファイルにて規定されている上記各表示項目の項目値の表示条件とに基づいて、上記Ｗｅｂページの各表示項目の項目値の表示条件が上記ディスプレイプロファイルに規定される。但し、上記グループプロファイルにて規定されている表示条件に上記ユーザプロファイルにて規定されている表示条件を付加して、上記Ｗｅｂページの各表示項目の項目値の表示条件を規定する。図１６のディスプレイプロファイルには、Ｗｅｂページの各表示項目の項目値の表示条件として「印刷量：８００００枚以上／赤色／ＩＰアドレス：１３３．１３９．１３１．ｘ」などが規定されている。グループプロファイルに由来する「印刷量：８００００枚以上／赤色」につきユーザプロファイルに由来する「ＩＰアドレス：１３３．１３９．１３１．ｘ」を付加したものである。当該処理は、図１の生成部２１１が実行する図２の生成処理（Ｓ６）に相当するものである。
【００６９】
第５実施例でも、上記ディスプレイプロファイルにて規定されている上記各表示項目の項目値の表示条件に基づいて、上記Ｗｅｂページの各表示項目の項目値の表示条件が規定される。図１７のＷｅｂページの各表示項目の項目値の表示条件は「印刷量」が８００００枚以上で「ＩＰアドレス」が１３３．１３９．１３１．ｘの機器の項目欄のみが赤色で表示される、と言ったものである。ディスプレイプロファイルにて規定されている各表示項目の項目値の表示条件を反映したものである。当該処理は、図１の生成部２１１が実行する図２の生成処理（Ｓ７）に相当するものである。
【００７０】
図１８は、第５実施例に係るフローチャートである。
【００７１】
生成部２１１では先ず、グループプロファイルをディスプレイプロファイルに変換（Ｓ５１）する。生成部２１１では次に、ディスプレイプロファイルにて各表示項目の表示順の並べ替えを実行（Ｓ５２）して、ディスプレイプロファイルにて各表示項目の表示形式の設定変更を実行（Ｓ５３）して、ディスプレイプロファイルにて各表示項目の項目値の各表示条件を適用（Ｓ５４）する。生成部２１１では次に、ユーザプロファイルにて規定されている表示項目の中でグループプロファイルにて規定されていない表示項目をディスプレイプロファイルに追加（Ｓ５５）する。生成部２１１では次に、ユーザプロファイルにて規定されている各表示項目の項目値の表示条件をディスプレイプロファイルにて規定されている各表示項目の項目値の表示条件に追加（Ｓ５６）する。このようにして生成部２１１では、ユーザプロファイルとグループプロファイルとに基づいてディスプレイプロファイルを生成するのである。
【００７２】
（変形例）
図１のＷｅｂサーバ１１１は、本発明「情報処理装置」の実施例であり、図１のＷｅｂサーバ１１１により実行される情報処理は、本発明「情報処理方法」の実施例である。図１のＷｅｂアプリケーション２０１は、本発明「情報処理プログラム」の実施例であり、図１のＷｅｂアプリケーション２０１が記録されたＣＤ−ＲＯＭは、本発明「記録媒体」の実施例である。
【図面の簡単な説明】
【００７３】
【図１】Ｗｅｂシステムのシステム構成図である。
【図２】Ｗｅｂサーバにより実行される情報処理に係るフローチャートである。
【図３】Ｗｅｂページのページ画面図である。
【図４】第１実施例に係るデータ構造図である。
【図５】第１実施例に係るページ画面図である。
【図６】第１実施例に係るフローチャートである。
【図７】第２実施例に係るデータ構造図である。
【図８】第２実施例に係るページ画面図である。
【図９】第２実施例に係るフローチャートである。
【図１０】第３実施例に係るデータ構造図である。
【図１１】第３実施例に係るページ画面図である。
【図１２】第３実施例に係るフローチャートである。
【図１３】第４実施例に係るデータ構造図である。
【図１４】第４実施例に係るページ画面図である。
【図１５】第４実施例に係るフローチャートである。
【図１６】第５実施例に係るデータ構造図である。
【図１７】第５実施例に係るページ画面図である。
【図１８】第５実施例に係るフローチャートである。
【符号の説明】
【００７４】
１０１  Ｗｅｂシステム
１１１  Ｗｅｂサーバ
１１２  Ｗｅｂクライアント
１１３  画像形成機器
１２１  ネットワーク
２０１  Ｗｅｂアプリケーション
２１１  生成部
２１２  提供部
【図１】
2006011824.tif 000003
【図２】
2006011824.tif 000004
【図３】
2006011824.tif 000005
【図４】
2006011824.tif 000006
【図５】
2006011824.tif 000007
【図６】
2006011824.tif 000008
【図７】
2006011824.tif 000009
【図８】
2006011824.tif 000010
【図９】
2006011824.tif 000011
【図１０】
2006011824.tif 000012
【図１１】
2006011824.tif 000013
【図１２】
2006011824.tif 000014
【図１３】
2006011824.tif 000015
【図１４】
2006011824.tif 000016
【図１５】
2006011824.tif 000017
【図１６】
2006011824.tif 000018
【図１７】
2006011824.tif 000019
【図１８】
2006011824.tif 000020